(57)【要約】【課題】自動車用ドアのドアウェザーストリップの取付基部を保持するリテーナがないコーナ部における外部から車室内への水の侵入を防止し得る排水構造を提供する。【解決手段】ルーフ側の部位とピラー側の部位がコーナ部位によって接続され、該各部位の取付基部７ａがドアの外周部に設けられたリテーナ６に嵌合して取り付けられたドアウェザーストリップ７を備えている。該ドアウェザーストリップの前記ルーフ側に位置する前記コーナ部位の前記取付基部の背面に、前記ピラー側の部位に形成された縦方向溝１０と連通する排水溝１１を設けると共に、該排水溝の上側の内側面１１ｂに、前記取付基部をリテーナに撓み変形させて嵌合する際に、先端部１２ａが下側の内側面１１ｃに当接して取付基部の剛性を確保する３つの補強リブ１２を設けた。【選択図】図１
2007308075.tif 000002
【特許請求の範囲】
【請求項１】
ルーフ側の部位とピラー側の部位がコーナ部位によって接続され、該各部位の取付基部がドアの外周部に設けられたリテーナに嵌合して取り付けられたドアウェザーストリップを備え、
前記ルーフ側に位置する前記コーナ部位の取付基部の背面に、前記ピラー側の部位に形成された縦方向溝と連通する排水溝を設けたことを特徴とする自動車用ドアの排水構造。
【請求項２】
排水溝の上側の対向内側面に、前記取付基部をリテーナに撓み変形させて嵌合する際に、先端部が下側の対向側内面に当接する補強リブを設けたことを特徴とする請求項１に記載の自動車用ドアの排水構造。
【請求項３】
前記補強リブの先端部を、該下側の対向内側面に向かった突出状に形成したことを特徴とする請求項２に記載の自動車用ドアの排水構造。
【請求項４】
前記排水溝の底面または下側の対向内側面を、前記ピラー側の部位方向に向かって下り傾斜状に形成したことを特徴とする請求項１〜３のいずれかに記載の自動車用ドアの排水構造。
【請求項５】
前記ピラー側の部位に、所定間隔をもって上下方向へ伸びた一次シール部と二次シール部とを形成し、該両シールリップ間に前記排水溝と連通する前記縦方向溝を形成したことを特徴とする請求項１〜４のいずれかに記載の自動車用ドアの排水構造。
【発明の詳細な説明】
【技術分野】
【０００１】
本発明は、自動車用ドアの排水構造に関し、とりわけ、ドアの外周側に取り付けられたドアウェザーストリップのコーナ部における排水構造に関する。
【背景技術】
【０００２】
自動車用の例えばフロントドア１は、図１１〜図１４に示すように、ドア本体２と該ドア本体２の上端部にはサッシュ部３が設けられ、該サッシュ部３の車体ルーフ側の横方向部位３ａとピラー側の縦方向部位３ｂのほぼ直角に突き合わされた斜めカット状の対向端部３ｃ、３ｄが溶接によって結合されてコーナ部を形成している。また、前記サッシュ部３の外周側には、該サッシュ部３の上端部を折曲形成して後述するドアウェザーストリップ７の取付基部７ａを保持するリテーナ６が形成されている。
【０００３】
前記サッシュ部３は、折曲外周部３ｅの内面側に、前記リテーナ６の後述する車外側の支持部として形成される突起６ａが設けられていると共に、前記折曲外周部３ｅの外面には、装飾用テープ９が被嵌状態に接着されている。
【０００４】
前記リテーナ６は、図１２及び図１３に示すように、横断面ほぼコ字形状に形成されて、車内側に湾曲状に立ち上がった支持部６ｂを有している。ここで、図１４に示すように、縦方向部位３ｂ側の突起６ａは、横方向部位３ａ側の突起６ａより幅広に形成され、前記対向端部３ｄではなくなっている。
【０００５】
そして、前記コーナ部側では前記車内側の支持部６ｂの一部がほぼＬ形状に切除されており、この切除部Ｃによって前記突き合わせ対向端部３ｃ、３ｄの溶接作業の容易性などを確保している。
【０００６】
また、前記リテーナ６には、図１５に示すように、車体開口部をシールするドアウェザーストリップ７が配設されている。このドアウェザーストリップ７は、前記リテーナ６に嵌合保持される取付基部７ａと、該取付基部７ａの車内側外周に一体に設けられて、前記車体８の開口部周縁８ａに当接する中空状のメインシール７ｂ及びサブシールリップ７ｃと、を備えている。また、前記取付基部７ａの車外側端部に、前記サッシュ部３の折曲外周部３ｅの内面及びリテーナ６の側面にそれぞれ当接する第１、第２リップ７ｄ、７ｅが一体に形成されている。
【０００７】
したがって、ドア１を閉じた際には、前記ドアウェザーストリップ７のメインシール７ｂとサブシールリップ７ｃが車体開口部の周縁８ａに当接することにより撓み変形して十分な当接面積を確保し、これによって車体開口部のシール性を確保するようになっている。
【特許文献１】特開２００１−３０７６９公報
【発明の開示】
【発明が解決しようとする課題】
【０００８】
ところで、前記構造の自動車用ドアにあっては、前記リテーナ６の支持部６ｂのコーナ部側の一部に切除部Ｃが形成され、また、前記装飾用テープ９の接着時の内側のテープ止まり部９ａに発生した波打ちなどに起因して、外部から前記第１リップ７ｄと装飾用テープ９の外面との間に洗車水や雨水が車室内に侵入してしまうおそれがある。
【０００９】
すなわち、前記リテーナ６の切除部Ｃの存在によって取付基部７ａに対する支持剛性が低下していることから、前記ドア１を閉じると、図１６に示すように、前記サッシュ部３の突起６ａがドアウェザーストリップ７の第１，第２リップ７ｄ、７ｅの間の凹溝７ｆ底面に突き当たって、前記切除部Ｃの位置にある取付基部７ａが内方へ撓み変形して、前記第１リップ７ｄと前記折曲外周部３ｅの内面及び前記第２リップ７ｅとリテーナ６の側面６ｃとの間に隙間が形成されてしまう。一方、前記装飾用テープ９は、前記サッシュ部３の外周部３ｅの内面側のテープ止まり部９ａに皺などが発生して、該装飾用テープ９と第１リップ７ｄとの間に隙間(口開き)が発生し易くなる。
【００１０】
このため、図１２の矢印で示すように、前記外部から前記第１リップ７ｄの口開き箇所から水が侵入して前記凹溝７ｆ内を通り、さらに第２リップ７ｅの先端との僅かな隙間箇所を通って車室内に侵入してしまうおそれがある。
【００１１】
なお、ドアの排水構造としては、前記特許文献１に記載されたものもあるが、水の侵入経路などが相違していると共に、構造が異なっている。
【００１２】
本発明は、前記従来例の技術的課題に鑑みて案出されたもので、ドアのドアフレームのコーナ部から車室内への水の侵入を確実に阻止し得る自動車用ドアの排水構造を提供するものである。
【課題を解決するための手段】
【００１３】
請求項１記載の発明は、ルーフ側の部位とピラー側の部位がコーナ部位によって接続され、該各部位の取付基部がドアの外周部に設けられたリテーナに嵌合して取り付けられたドアウェザーストリップを備え、前記ルーフ側に位置する前記コーナ部位の取付基部の背面に、前記ピラー側の部位に形成された縦方向溝と連通する排水溝を設けたことを特徴としている。
【００１４】
外部からドアウェザーストリップの取付基部方向へ流入した水は、前記排水溝内に捕集されて、ここから縦方向溝内に流入して外部へ排出されることから、車室内への侵入を確実に防止できる。
【００１５】
請求項２に記載の発明は、排水溝の上側の対向内側面に、前記取付基部をリテーナに撓み変形させて嵌合する際に、先端部が下側の対向側内面に当接する補強リブを設けたことを特徴としている。
【００１６】
ドアウェザーストリップは、取付基部の排水溝形成部位の剛性が低下して、該取付基部をリテーナに嵌着させる際における形状保持が困難になるが、この発明では、排水溝内に補強リブを設けたことから、かかる部位の取付基部の剛性が高くなってリテーナへの嵌着時における形状保持が可能になる。したがって、取付基部の嵌着作業が容易になる。
【００１７】
請求項３に記載の発明は、前記補強リブの先端部を、下側の対向内側面に向かった突出状に形成したことを特徴としている。
【００１８】
この発明によれば、取付基部をリテーナに嵌着させる場合に、補強リブの先端部が即座に下側の対向内側面に当接して支持力を発揮することから、形状保持性がさらに向上するため、取付基部の嵌着作業性が一層良好になる。
【００１９】
請求項４に記載の発明は、前記排水溝の底面または下側の対向内側面を、前記ピラー側の部位方向に向かって下り傾斜状に形成したことを特徴としている。
【００２０】
排水溝内に捕集された水は下側の対向内側面の傾斜面に沿って速やかに流れて、縦方向溝内へ案内されることから、水の排水性が良好になる。
【００２１】
請求項５に記載の発明は、前記ピラー側の部位に、所定間隔をもって上下方向へ伸びた一次シール部と二次シール部とを形成し、該両シールリップ間に前記排水溝と連通する前記縦方向溝を形成したことを特徴としている。
【００２２】
縦方向溝をピラー側の部位の既存の一次シール部と二次シール部を利用して形成したため、縦方向溝を形成するためにドアウェザーストリップの構造を大きく変更することないので、製造コストの高騰を抑制することができる。
【発明の効果】
【００２３】
請求項１に記載の発明によれば、外部から侵入した水を、一旦、排水溝内に捕集し、ここから縦方向溝内に流入して外部へ排出することから、車室内への侵入を確実に防止できる。
【００２４】
請求項２に記載の発明によれば、排水溝内に設けられた補強リブによって、排水溝の形成部位の取付基部の剛性が高くなってリテーナへの嵌着時における形状保持性が向上する。この結果、取付基部の嵌着作業が容易になる。
【００２５】
請求項３に記載の発明によれば、取付基部をリテーナに嵌着させる場合に、補強リブの先端部が即座に対向内側面に当接して支持力を発揮して、形状保持性がさらに向上するため、取付基部の嵌着作業性が一層良好になる。
【００２６】
請求項４に記載の発明によれば、排水溝内に捕集された水は底面や下側の対向内側面の傾斜面に沿って速やかに流れて、縦方向溝内へ案内されることから、水の排水性が良好になる。
【００２７】
請求項５に記載の発明によれば、縦方向溝をピラー側の部位の既存の一次シール部と二次シール部を利用して形成したため、縦方向溝を形成するためにドアウェザーストリップの構造を大きく変更することないので、製造コストの高騰を抑制できる。
【発明を実施するための最良の形態】
【００２８】
以下、本発明にかかる自動車用ドアの排水構造の実施形態を図面に基づいて詳述する。なお、本実施形態は、従来と同じく自動車のフロントドア側に適用したものを示し、ドア等の基本構造は従来と同様であるから共通の箇所は同一の符号を付して説明する。
【００２９】
図１〜図３は本発明の第１の実施形態を示し、まず、フロントドアは、ドア本体と該ドア本体の上端部に設けられたサッシュ部３とを有し、該サッシュ部３の車体ルーフ側の横方向部位とピラー側の縦方向部位のほぼ直角に突き合わされた斜めカット状の対向端部が溶接によって結合されてコーナ部を形成している。また、前記ドア本体とサッシュ部３の外周側には、前記サッシュ部３の上端部を折曲形成して後述するドアウェザーストリップ７の取付基部７ａを保持するリテーナ６が形成されている。
【００３０】
前記サッシュ部３は、折曲外周部３ｅの内面側に、後述の前記リテーナ６の車外側の支持部として形成される突起６ａが設けられていると共に、前記折曲外周部３ｅの外面には、装飾用テープ９が被嵌状態に接着されている。
【００３１】
前記リテーナ６は、横断面ほぼコ字形状に形成されて、車内側に湾曲状に立ち上がった支持部６ｂを有している。前記コーナ部側では、前記車内側の支持部６ｂの一部がほぼＬ形状に切除されており、この切除部によって前記突き合わせ対向端部の溶接作業の容易性などを確保している。
【００３２】
また、前記リテーナ６には、車体開口部をシールするドアウェザーストリップ７が配設されている。
【００３３】
このドアウェザーストリップ７は、それぞれ押出成形によって形成されたルーフ側の部位とピラー側の部位とを、型成形によって形成されたほぼＬ字形のコーナ部位によって接続されてなり、前記ルーフ側の部位は、前記リテーナ６に嵌合保持される取付基部７ａと、該取付基部７ａの車内側外周に一体に設けられて、前記車体８の開口部周縁８ａに当接する中空状のメインシール７ｂ及びサブシールリップ７ｃと、を備えている。また、前記取付基部７ａの車外側端部に、前記サッシュ部３の折曲外周部３ｅの内面及びリテーナ６の側面６ｃにそれぞれ当接する第１、第２リップ７ｄ、７ｅが一体に形成されている。
【００３４】
前記ピラー側の部位は、断面形状が前記ルーフ側の部位とほぼ同一に形成されているが、ルーフ側のサブシールリップ７ｃ及び凹溝７ｆに相当する部位がなく上下長手方向に沿った二次シール部である突起シール部７ｇと一次シール部であるシールリップ７ｈが形成されており、この突起シール部７ｇとシールリップ７ｈとの間には、縦方向溝１０が形成されている。また、前記シールリップ７ｈと突起シール部７ｇは、それぞれ第１、第２リップ７ｄ、７ｅと連続している。
【００３５】
そして、前記取付基部７ａの前記コーナ部位のルーフ側、つまり前記リテーナ６の支持部６ｂが切除されたルーフ側の部位には、排水溝１１が切欠形成されていると共に、該排水溝１１の上側の内側面１１ａに、複数の補強リブ１２が一体に設けられている。
【００３６】
具体的に説明すれば、前記排水溝１１は、図１及び図２に示すように、取付基部７ａの前記凹溝７ｆの形成位置に車体前後方向に沿って横方向に長い長方形状に形成されて、その前後方向の幅長さＬが前記リテーナ６の切除部の長さよりも僅かに長く設定されている。また、その対向する内側面１１ｂ、１１ｃ間の上下幅Ｗが均一に設定されていると共に、前記凹溝７ｆ相当位置から底面１１ａまでの深さＤも前後方向で均一に設定されている。また、排水溝１１のピラー側の端部１１ｄが前記縦方向溝１０の上端部に開口形成されている。なお、図２において破線で示す部分は、前記凹溝７ｆの形状である。
【００３７】
前記補強リブ１２は、前記上側の内側面１１ｂに長手方向のほぼ等間隔位置に３つ設けられ、それぞれが排水溝１１の長手方向に対してほぼ直角方向に延設された長方体形の小ブロック状に形成されて、その前後長さの合計が前記排水溝１１の幅長さＬの約１／３程度の長さに設定されていると共に、上下の高さがそれぞれ排水溝１１の幅Ｗの約半分程度に設定されて、それぞれの先端部１２ａが前記下側の内側面１１ｃに近接するように配置されている。また、それぞれの側部１２ｂは、前記突起６ａに当接するように（前記凹溝７ｆと同一位置に）配置されている。
【００３８】
したがって、この実施形態によれば、外部から前記装飾用テープ９のテープ止め部９ａと第１リップ７ｄとの間の口開き箇所を通って内部に侵入した水は、小突起６ａの上面を伝って排水溝１１内に流下し、ここで一旦捕集される。その後、図１の矢印で示すように、排水溝１１内をピラー方向へ流動して縦方向溝１０内に案内されて流入し、そのまま縦方向溝１０に沿って外部へ速やかに排出される。このため、車室内への侵入を確実に防止できる。
【００３９】
しかも、この実施形態では、排水溝１１の内部に３つの補強リブ１２を設けたことから、かかる部位の取付基部７ａの剛性が高くなってリテーナへの嵌着時における形状保持が可能になる。
【００４０】
すなわち、ドアウェザーストリップ７をドアに組み付けるには、取付基部７ａの弾性力を利用してリテーナ６内に嵌着させるわけであるが、このとき、取付基部７ａの剛性が低いと弾性力が十分に利用できず、つまり、排水溝１１の存在によって剛性が低くなることから弾性力が低下して、組付作業性が悪化するおそれがある。しかし、本実施形態では、取付基部７をリテーナ６に嵌着する際に、各補強リブ１２の先端部１２ａの先端面が、対向する下側の内側面１１ｃに当接して排水溝１１形成位置の取付基部７ａの剛性を高く維持することができる。これによって、該取付基部７ａの形状を保持できるため、かかる取付基部７ａのリテーナ６内への嵌着作業が容易になり、ドアウェザーストリップ７の組付作業性の低下を防止できる。
【００４１】
このように、本実施形態は、侵入した水の外部への速やかな排出効果と、ドアウェザーストリップ７の組付作業性の悪化防止効果の両方を満足させることができる。
【００４２】
また、本実施形態では、縦方向溝１０をドアウェザーストリップ７に特別に設けるのではなく、ピラー側の部位の既存の突起シール部７ｇとシールリップ７ｈを利用して形成したため、製造コストの高騰を抑制できる。
【００４３】
図４は本発明の第２の実施形態を示し、ドアウェザーストリップ７や排水溝１１の構成は第１の実施形態と同様であって、各補強リブ１２の構造を変更したものである。すなわち、補強リブ１２の下側の内側面１１ｃ側の先端部１２ａを、該対向内側面１１ｃに向かった突出状に形成したものである。
【００４４】
したがって、取付基部７ａをリテーナ６に嵌着させる場合に、補強リブ１２の先端部１２ａが即座に対向内側面１１ｃに当接して支持力を高くするこのため、取付基部７の形状保持性がさらに向上して、該取付基部７ａのリテーナ６への嵌着作業性が一層良好になる。
【００４５】
図５〜図７は第３の実施形態を示し、前記排水溝１１の底面１１ａをピラー側に向かって漸次下り傾斜状に形成して、排水溝１１の凹溝７ｆ相当位置から底面１１ａまでの深さＤを一端側からピラー側の他端側に沿って漸次深くなるように形成したものである。なお、図６において、破線で示す部分は最深部の底面１１ａである。
【００４６】
したがって、排水溝１１内に捕集された水は、傾斜状の底面１１ａに沿ってピラー側の縦方向溝１２内に速やかに流入案内されることから、雨水などの排出性を良好なものとすることができる。
【００４７】
図８〜図１０は第４の実施形態を示し、底面１１ａの深さは第１の実施形態と同様に均一であるが、排水溝１１の下側の内側面１１ｃをピラー側に向かって漸次下り傾斜状に形成して、排水溝１１の幅Ｗを一端から他端側に沿って漸次深くなるように形成したものである。なお、図９において破線で示す部分は、最深部の内側面１１ｃである。
【００４８】
したがって、この実施形態も排水溝１１内に捕集された水は、傾斜状の下側内側面１１ｃに沿って流れて縦方向溝１２内に速やかに流入されることから、雨水などの排出性を向上できる。
【００４９】
このように、第３，第４の実施形態では、排水溝１１内に捕集された水を滞留することなく、縦方向溝１２内へ速やかに流入させることができるため、車室内への流入をより確実に防止することが可能になる。
【００５０】
本発明は、前記各実施形態の構成に限定されるものではなく、例えば排水溝１１の幅Ｗや深さＤなどは、車両の仕様などに応じて自由に設定することができると共に、補強リブ１２の大きさや数なども任意に変更することが可能である。また、本発明は、フロントドアの他にリアドアにも適用することが可能であると共に、適用箇所も自由である。また、サッシュ型ドア以外にプレスドアにも適用可能である。さらに、本発明は、前記装飾用テープが接着されないものにも適用可能である。
【図面の簡単な説明】
【００５１】
【図１】本発明にかかる自動車用ドアの排水構造の第１の実施形態に供されるドアウェザーストリップの側面図である。
【図２】図１のＡ−Ａ線断面図である。
【図３】図１のＢ−Ｂ線断面図である。
【図４】本発明の第２の実施形態を示す図１のＡ−Ａ線断面図である。
【図５】第３の実施形態に供されるドアウェザーストリップの要部斜視図である。
【図６】本実施形態における排水溝の浅部を示す断面図である。
【図７】同排水溝の深部を示す断面図である。
【図８】第４の実施形態に供されるドアウェザーストリップの要部斜視図である。
【図９】本実施形態における排水溝の最小幅部を示す断面図である。
【図１０】同排水溝の最大幅部を示す断面図である。
【図１１】本発明及び従来の排水構造が適用される自動車の側面図である。
【図１２】図１１に示すフロントドアのＣ矢視部を拡大して示す斜視図である。
【図１３】図１２のＤ−Ｄ線断面図である。
【図１４】図１２のＥ−Ｅ線断面図である。
【図１５】従来におけるフロントドア(リテーナの支持部有り)にドアウェザーストリップが取り付けられた状態を示す断面図である。
【図１６】従来におけるフロントドア(リテーナの支持部なし)にドアウェザーストリップが取り付けられた状態を示す断面図である。
【符号の説明】
【００５２】
１…フロントドア
３…サッシュ部
６…リテーナ
７…ドアウェザーストリップ
７ａ…取付基部
７ｂ…メインシール
７ｇ…突起シール部(二次シール)
７ｈ…シールリップ(一次シール)
１１…排水溝
１１ａ…底面
１１ｂ・１１ｃ…内側面
１２…補強リブ
１２ａ…先端部
【図１】
2007308075.tif 000003
【図２】
2007308075.tif 000004
【図３】
2007308075.tif 000005
【図４】
2007308075.tif 000006
【図５】
2007308075.tif 000007
【図６】
2007308075.tif 000008
【図７】
2007308075.tif 000009
【図８】
2007308075.tif 000010
【図９】
2007308075.tif 000011
【図１０】
2007308075.tif 000012
【図１１】
2007308075.tif 000013
【図１２】
2007308075.tif 000014
【図１３】
2007308075.tif 000015
【図１４】
2007308075.tif 000016
【図１５】
2007308075.tif 000017
【図１６】
2007308075.tif 000018